(57)【要約】      （修正有）【課題】感圧接着剤の使用量、封緘時の封緘不良の発生率、および紙袋の保管時のブロッキング発生率を低減し、紙袋の製造コストを低減すると共に使用時および保管時の利便性が向上した紙袋を提供する。【解決手段】前壁３、後壁１および両側壁２を有する角筒形状の袋本体の片端が封緘され、他端が内容物を充填した後に封緘される紙袋であって、他端において、前壁、後壁および両側壁には、それぞれ別個に独立して延出するフラップ部６、４、５が形成されている紙袋において、後壁のフラップ部の延出長さは、前壁および両側壁のフラップ部の延出長さより大きく、後壁のフラップ部における前壁および両側壁のフラップ部を越えて延出する部分の内面１２には、感圧接着剤が塗布されているが、後壁のフラップ部における基端部から前壁および両側壁のフラップ部の延出長さまでの部分、さらに前壁のフラップ部の少なくとも上部１３には、感圧接着剤が塗布されていない。【選択図】図５
2020063078.tif 000002
【特許請求の範囲】
【請求項１】
前壁、後壁および両側壁を有する角筒形状の袋本体の片端が下底として封緘され、他端が内容物を充填した後に封緘される紙袋であって、該他端において、該前壁、該後壁および該両側壁には、それぞれ別個に独立して延出するフラップ部が形成されている該紙袋において、
該後壁のフラップ部の延出長さは、該前壁および該両側壁のフラップ部の延出長さより大きく、
該後壁のフラップ部における該前壁および該両側壁のフラップ部を越えて延出する部分の内面には、感圧接着剤が塗布されているが、
該後壁のフラップ部における基端部から該前壁および該両側壁のフラップ部の延出長さまでの部分には感圧接着剤が塗布されておらず、
さらに、該前壁のフラップ部の少なくとも上部には、感圧接着剤が塗布されていないことを特徴とする紙袋。
【請求項２】
該前壁の外面における、該後壁のフラップ部の該感圧接着剤が塗布された内面が当接する部位に感圧接着剤が塗布されていることを特徴とする請求項１に記載された紙袋。
【請求項３】
該前壁のフラップ部の下部における、該後壁のフラップ部の該感圧接着剤が塗布された内面が当接する部位に感圧接着剤が塗布されていることを特徴とする請求項２に記載された紙袋。
【請求項４】
該角筒形状の袋本体の下底として封緘される該片端は、最後に折り込まれた該前壁の上に、開封テープまたは開封紐が、その長手方向に沿って設けられた補強紙が貼着されることによって封緘されることを特徴とする請求項１〜３のいずれかに記載された紙袋。
【発明の詳細な説明】
【技術分野】
【０００１】
本発明は、前壁、後壁および両側壁を有する角筒形状の袋本体の片端が下底として封緘され、他端が内容物を充填した後に封緘される紙袋に関する。
【背景技術】
【０００２】
従来、粉粒体等の商品をポリ袋等に充填された小袋を複数個まとめて包装する外装（集積包装）に紙袋が使用されている（特許文献１参照）。
ここで、封緘手段となる接着剤としては、主に感圧接着剤が使用されているが、図９に示すように、前壁上部から後壁全体に接着剤が塗布されており、塗布面積が大きいことから、感圧接着剤の使用量が多くなること、封緘時に予期しない部分で接着してしまい、貼り合せ位置のズレ、シワ等の封緘不良が発生しやすいこと、および紙袋の保管時に紙袋同士が接着するブロッキングが発生しやすいこと等の問題がある。
また、封筒等の紙袋を封緘する手段、方法であって、前壁上部から後壁全体に接着剤を塗布しない手段、方法として、前壁および後壁に多数の小四角形状、小円形状等の接着剤を用いて封緘する手段、方法（特許文献２、特許文献３参照）、および前壁および後壁が接着剤を用いて、封筒の長手方向に接着されることにより封緘する手段、方法があるが、（特許文献４参照）、これらは、密閉性と開封のしやすさを両立させることを目的としており、上記の問題を解決することについては示唆も記載もされていない。
【先行技術文献】
【特許文献】
【０００３】
【特許文献１】実公昭５２−０２２４９１号公報
【特許文献２】実開平３−０２９４４１号公報
【特許文献３】特開２０１７−２０２８６１号公報
【特許文献４】特開２００４−３５２３０４号公報
【発明の概要】
【発明が解決しようとする課題】
【０００４】
本発明は、上記問題を解決するために、後壁のフラップ部の先端部分のみに感圧接着剤が塗布されると共に、前壁のフラップ部の少なくとも上部には、感圧接着剤が塗布されていないこと、および好ましくは該前壁における該後壁のフラップ部の先端部分が当接する部分のみに感圧接着剤を塗布することによって、感圧接着剤の使用量、封緘時の封緘不良の発生率、および紙袋の保管時のブロッキング発生率について、それぞれ低減し、もって紙袋の製造コストを低減すると共に使用時および保管時の利便性が向上した紙袋を提供することを目的とする。
【課題を解決するための手段】
【０００５】
本発明は、前壁、後壁および両側壁を有する角筒形状の袋本体の片端が下底として封緘され、他端が内容物を充填した後に封緘される紙袋であって、該他端において、該前壁、該後壁および該両側壁には、それぞれ別個に独立して延出するフラップ部が形成されている該紙袋において、該後壁のフラップ部の延出長さは、該前壁および該両側壁のフラップ部の延出長さより大きく、該後壁のフラップ部における該前壁および該両側壁のフラップ部を越えて延出する部分の内面には、感圧接着剤が塗布されているが、該後壁のフラップ部における基端部から該前壁および該両側壁のフラップ部の延出長さまでの部分には感圧接着剤が塗布されておらず、さらに、該前壁のフラップ部の少なくとも上部には、感圧接着剤が塗布されていないことを特徴とする紙袋を提供する。
ここで、該前壁および該両側壁のフラップ部の延出長さは同一でもよく、どちらか一方が大きくてもよい。
また、該前壁のフラップ部の上部は、該前壁のフラップ部における該後壁のフラップ部の感圧接着剤が塗布されていない部分に当接する部位を意味しており、好ましくは１ｃｍ以上の高さを有し、さらに好ましくは３ｃｍ以上の高さを有する。１ｃｍ未満の高さの場合、感圧接着剤の使用量を低減する効果はほとんどない。
さらに、該前壁のフラップ部の少なくとも上部には、感圧接着剤が塗布されていないことは、該前壁のフラップ部の上部に感圧接着剤が塗布されていないことだけではなく、該前壁のフラップ部の全体に感圧接着剤が塗布されていないこと、および該前壁の全体に感圧接着剤が塗布されていないことを含む。つまり、該他端の封緘が後壁のフラップ部に塗布された感圧接着剤のみによって行われることを含む。
【０００６】
該紙袋の態様において、該他端を封緘する際には、該後壁のフラップ部を最後に折り込むのであれば、該前壁および該両端壁のフラップ部のどちらを先に折り込んでもよいが、封緘後の他端にすき間が生じにくく、紙袋内部へのゴミ、異物等が混入する可能性を低くできることから、最初に該前壁のフラップ部を折り込み、次いで、該両端壁のフラップ部を折り込み、しかる後に該後壁のフラップ部を折り込んで封緘される紙袋であって、該前壁の外面における、該後壁のフラップ部の該感圧接着剤が塗布された内面が当接する部位に感圧接着剤が塗布されていることが好ましい。
また、該前壁の外面とは、内側の内面に対する外側の面であることを意味しており、該前壁の正面または表面ともいうことができる。
【０００７】
該紙袋の態様において、該他端を封緘する際には、最初に該前壁のフラップ部を折り込み、次いで、該両端壁のフラップ部を折り込み、しかる後に該後壁のフラップ部を折り込んで封緘される紙袋であって、該前壁の外面および該前壁のフラップ部の下部における、該後壁のフラップ部の該感圧接着剤が塗布された内面が当接する部位に感圧接着剤が塗布されていることが好ましい。
ここで、該前壁のフラップ部の下部とは、該前壁の外面と連接している該フラップ部の下方の部分を意味しており、該フラップ部の上部と区別するための便宜的な表現であり、上部と下部の境界線の位置は厳密に定められるものではない。
【０００８】
該紙袋の態様において、該角筒形状の袋本体の下底として封緘される該片端は、最後に折り込まれた該前壁の上に、開封テープまたは開封紐が、その長手方向に沿って設けられた補強紙が貼着されることによって封緘されることが好ましい。
【０００９】
該紙袋の態様において、該両側壁のフラップ部の延出長さは、該後壁のフラップ部の延出長さよりも小さいが、該前壁の該フラップ部の延出部よりも大きく、感圧接着剤を塗布する際には、該両側壁の該フラップ部はＶ字形態に折り畳まれて該袋本体が平坦化され、かかる状態で該前壁のフラップ部を越えて延出する該両側壁および該後壁のフラップ部の内面に感圧接着剤が塗布されることが好ましい。
【００１０】
該紙袋の態様において、該感圧接着剤の塗布方法としては、スプレーを用いた塗布方法、グルーガンを用いた塗布方法、輪転機を用いた塗布方法等が挙げられるが、塗布方法はこれらに限定されるものではない。
ここで、感圧接着剤の空気中への飛散を防止でき、安価で、効率的であることから、輪転機を用いた塗布方法を用いることが好ましい。
【発明の効果】
【００１１】
本発明は、粉粒体等の商品をポリ袋等に充填された小袋を複数個まとめて包装する外装（集積包装）に使用される紙袋であって、前壁、後壁および両側壁を有する角筒形状の袋本体の片端が下底として封緘され、他端が内容物を充填した後に封緘される紙袋である。
該紙袋における、該他端に形成される、前壁、後壁および両側壁のフラップ部について、該他端は４つの角にそれぞれ切り込み（スリットとも言う）が設けられており、該４つの切り込みによって、前壁、後壁および両側壁のフラップ部が形成される。
つまり、前壁のフラップ部は、前壁と右側壁および左側壁との角に設けられた２つの切り込みによって形成される。
同様に、後壁のフラップ部は、後壁と右側壁および左側壁との角に設けられた２つの切り込みによって形成される。
さらに、右側壁および左側壁のフラップ部は、それぞれ右側壁と前壁および後壁との角に設けられた２つの切り込み、左側壁と前壁および後壁との角に設けられた２つの切り込みによって形成される。
ここで、該切り込みはカッター等の通常、当業者が用いる手段、方法を用いて設けることができ、特に制限されるものではない。
【００１２】
また、該切り込みの長さについて、他端が内容物を充填した後に封緘される際に、前壁および両側壁のフラップ部を折り込んだ後、最後に後壁のフラップ部を折り込むことから、それぞれ前壁、後壁および両側壁のいずれかのフラップ部の折り込み位置の高さが異なっている場合、４つのフラップ部をきれいに折り込むことができない。そうすると、封緘後の荷姿の状態が悪くなること、および、折り込み部にすき間ができ、紙袋内部へのゴミ、異物等が混入する可能性が高くなるという不具合を生じるため、それぞれの切り込みの長さは、フラップ部の折り込み位置の高さが同一となるように設定しなければならない。
【００１３】
前壁、後壁および両側壁のフラップ部の延出長さは、以下に説明するフラップ部先端部分の左右端部の面取り加工を行わなかった場合、上記に説明したそれぞれのフラップ部の切り込みの長さと同一である。面取り加工を行った場合、面取り加工した長さ分だけ、それぞれのフラップ部の切り込みの長さより長くなる。
後壁の延出長さは、前壁および両側壁のフラップ部の延出長さより大きくなければならない。これは他端を封緘する際、最後に後壁のフラップ部を折り込むことから、感圧接着剤の塗布部分が必要であるためである。
また、前壁および両側壁のフラップ部の延出長さは同一でもよく、どちらか一方が大きくてもよい。ただし、前壁のフラップ部の延出長さが両側壁のフラップ部の延出長さより大きい場合、前壁のフラップ部を折り込んだ際、該フラップ部の先端部分が余った状態で後壁に当たることから、さらに該フラップ部を折り込む必要があり、折り込み部にすき間ができ、紙袋内部へのゴミ、異物等が混入する可能性が高くなるため、どちらか一方が大きい場合は、両側壁のフラップ部の延出長さが前壁のフラップ部の延出長さより大きい方が好ましい。
両側壁のフラップ部の延出長さは、異なっていてもよいが同一であることが好ましい。これは、本発明の紙袋を原材料の１枚紙から切り出す際、通常、当業者が用いる、いわゆる階段切りによって、連続した同一形状で切り出す場合において、両側壁のフラップ部の延出長さが同一であると、後加工が必要なく、無駄な紙が発生することがないためである。
【００１４】
前壁、後壁および両側壁のフラップ部の先端部分の左右端部は必要に応じて面取り加工を施してもよい。面取りの部位、形状は任意であるが、例えば後壁のフラップ部の先端部分の左右端部を４５度の角度の角面とすると、後壁のフラップ部を折り込んで封緘する際、フラップの角部から捲れる、いわゆるメクレの防止性が向上するため好ましい。
【図面の簡単な説明】
【００１５】
【図１】感圧接着剤を塗布する前の本発明の紙袋が平坦化された状態の平面図である。
【図２】図１の紙袋の斜視図である。
【図３】図１の紙袋における両側壁を展開した状態の斜視図である。
【図４】感圧接着剤を塗布した後の本発明の紙袋が平坦化された状態の平面図である。
【図５】図４の紙袋における両側壁を展開した状態の斜視図である。
【図６】図５の紙袋における前壁を折り込んだ状態の斜視図である。
【図７】図５の紙袋におけるすべてのフラップ部を折り込み、封緘後の状態の斜視図である。
【図８】図５の紙袋におけるすべてのフラップ部を折り込み、封緘後の状態の側面図である。
【図９】感圧接着剤を前面の上部から後壁まで全体的に塗布した後の従来技術の紙袋が平坦化された状態の平面図である。
【発明を実施するための形態】
【００１６】
以下、本発明に係る紙袋の好適な実施形態について図面を参照しつつ説明する。なお、本発明は該実施形態に限定されるものではない。
【００１７】
本発明に係る紙袋は、通常、当業者が用いる、いわゆる階段切りによって、１枚紙から連続した同一形状で切り出し、左右の端部を接着することにより、図１〜３に示されるような後壁１、両側壁２および前壁３を有する角筒形状の袋本体を製造する。ここで、該階段切りの工程において、該角筒形状の袋本体の他端における４つの角に切り込み加工を行うことにより、各壁のフラップ部が形成される。
【００１８】
図１は感圧接着剤を塗布する前の本発明の紙袋が平坦化された状態の平面図を示す。
図２は図１の紙袋における切り込みおよび各壁のフラップ部４〜６を明らかにした斜視図、および図３は図１の紙袋においてＶ字形態に折り畳まれた両側壁２を展開した状態の斜視図を示す。ここで、点線は各壁におけるフラップ部の折り込み線および両側壁におけるＶ字形態の折り込み線を示す。
また、後壁１からフラップ部４、両側壁２からフラップ５および前壁３からフラップ６がそれぞれ別個に独立して延出し、フラップ部４の延出長さ７、フラップ部５の延出長さ８およびフラップ部６の延出長さ９の大小関係は、「延出長さ７＞延出長さ８＞延出長さ９」となっており、後壁のフラップ部の延出長さ７は、該前壁および該両側壁のフラップ部の延出長さ８〜９より大きい。
そして、後壁と右側壁および左側壁との角に設けられた２つの切り込みの長さ１０、および前壁と右側壁および左側壁との角に設けられた２つの切り込みの長さ１１の大小関係は、「切り込みの長さ１０＞切り込みの長さ１１」と異なっているものの、切り込みの先端部の高さは同一であり、すべてのフラップ部の折り込み位置の高さは同一となっている。
【００１９】
図４は、図１に示された本発明の紙袋に対して、輪転機を用い、感圧接着剤の塗布を行った後の紙袋の平面図を示す。
ここで、後壁のフラップ部における前壁および両側壁のフラップ部を越えて延出する部分の内面に感圧接着剤が塗布された接着剤塗布領域１２があり、該接着剤塗布領域１２内に記載された点線は、上記前壁の折り込み線に当接する折り込み線を示す。
そして、該接着剤塗布領域１２における点線より上部および下部は、それぞれ前壁の外面における接着剤塗布領域１４および前壁のフラップ部下部の接着剤塗布領域１５と当接する。
また、前壁のフラップ部の上部１３には、感圧接着剤が塗布されていない。
【００２０】
図５は、本発明の紙袋が内容物を充填して、Ｖ字形態に折り畳まれた両側壁２を展開した状態の斜視図を示し、図６は、図５に示す紙袋において、前壁のフラップ部６のみを折り込んだ状態の斜視図を示す。
ここで、後壁のフラップ部４における基端部から該前壁および該両側壁のフラップ部５〜６の延出長さまでの部分（凹形状となっている部分）には、感圧接着剤は塗布されていない。
【００２１】
その後、両側壁のフラップ部５を折り込み、最後に後壁のフラップ部４を折り込むことにより、後壁の接着剤塗布領域１２が前壁の接着剤塗布領域１４〜１５と当接して封緘される。
図７〜８は、図５に示す紙袋が封緘された状態の斜視図および側面図を示す。
【００２２】
図９は、感圧接着剤を前壁の上部から後壁まで全体的に塗布した後の従来技術の紙袋を示しており、感圧接着剤の塗布領域１６の面積が大きいことから、感圧接着剤の使用量が多くなり、紙袋の製造コストが高くなること、封緘時に予期しない部分で接着してしまい、貼り合せ位置のズレ、シワ等の封緘不良が発生しやすく、また、紙袋の保管時に紙袋同士が接着するブロッキングが発生しやすいため、使用時および保管時の利便性が好ましくないという問題を有している。
【符号の説明】
【００２３】
１：後壁
２：両側壁
３：前壁
４：後壁のフラップ部
５：両側壁のフラップ部
６：前壁のフラップ部
７：後壁のフラップ部の延出長さ
８：両側壁のフラップ部の延出長さ
９：前壁のフラップ部の延出長さ
１０：後壁と右側壁および左側壁との角に設けられた２つの切り込みの長さ
１１：前壁と右側壁および左側壁との角に設けられた２つの切り込みの長さ
１２：後壁のフラップ部内面の接着剤塗布領域
１３：接着剤が塗布されていない前壁のフラップ部上部
１４：前壁の外面における接着剤塗布領域
１５：前壁のフラップ部下部の接着剤塗布領域
１６：前壁の上部から後壁までの全体的な接着剤塗布領域
【図１】
2020063078.tif 000003
【図２】
2020063078.tif 000004
【図３】
2020063078.tif 000005
【図４】
2020063078.tif 000006
【図５】
2020063078.tif 000007
【図６】
2020063078.tif 000008
【図７】
2020063078.tif 000009
【図８】
2020063078.tif 000010
【図９】
2020063078.tif 000011